(57)【要約】  本発明は、着用可能な衣料品に係る。該衣料品は、運動選手、作業者、高齢者、又は弱者によって使用可能であり、容易に手で操作される相互接続装置を有し、衣料品を着用するユーザが、コネクタを単に結合することによって相互接続装置を操作することができるようにされる。該コネクタは、電源又は外部電子装置に結合される。ユーザによる開放可能なロッキング作用を介して、コネクタは、相互接続装置に電気的に結合される。相互接続装置は、衣料品に組み入れられたファブリック回路に結合され、ロッキング作用の操作が、関連する電源又は電子装置等の補助的な機器を作動させる。
2006529007.tif 000002
【特許請求の範囲】
【請求項１】
相互接続装置であって、
本体構造を有する着用可能な衣料品と、
少なくとも１つの導電性の接触部及び開口部を有する少なくとも１つの相互接続構成要素と、
を有し、
前記相互接続装置は、前記衣料品に組み入れられたファブリック回路に結合される、
相互接続装置。
【請求項２】
少なくとも１つの導電性の接触部を有するコネクタを更に有し、
前記コネクタは前記相互接続構成要素に開放可能なように結合される、
請求項１記載の相互接続装置。
【請求項３】
前記コネクタは、前記コネクタから延長するケーブルを有する、請求項２記載の相互接続装置。
【請求項４】
前記ケーブルは、電子装置へのカップリングとしての役割をなす、請求項３記載の相互接続装置。
【請求項５】
前記ケーブルは、電源へのカップリングとしての役割をなす、請求項３記載の相互接続装置。
【請求項６】
前記相互接続装置は、電子信号を送信することに対して補助的なユニットをはめ込み及び支持するよう、前記衣料品の外側の面に取り付けられる、
請求項２記載の相互接続装置。
【請求項７】
相互接続装置であって、
本体構造を有する着用可能な衣料品と、
前記衣料品の第１の層に組み入れられた第１のファブリック回路に結合された少なくとも１つの導電性の接触部を有する少なくとも１つの相互接続構成要素と、
前記衣料品の第２の層に組み入れられた第２のファブリック回路に結合された少なくとも１つの導電性の接触部を有する相互接続構成要素と、
を有し、
前記相互接続構成要素は、開放可能なロッキング作用を介して前記相互接続構成要素をはめ込み、前記夫々の導電性の接触部が電気的に接触するようにされる、
相互接続装置。
【請求項８】
前記第１及び第２のファブリック回路は、信号伝達装置に結合される、請求項７記載の相互接続装置。
【請求項９】
前記第１及び第２のファブリック回路は、前記衣料品の前記本体構造に組み入れられた電子装置に結合される、請求項７記載の相互接続装置。
【請求項１０】
前記コネクタはボタンである、請求項６記載の相互接続装置。
【請求項１１】
電子装置を便利に作動させるよう人に可能にする方法であって、
着用可能な衣料品で少なくとも１つのファブリック回路を添付する段階と、
少なくとも１つの導電性の接触部を有する相互接続装置を、前記着用可能な衣料品に取り付ける段階と、
前記人に前記着用可能な衣料品を着せる段階と、
少なくとも１つの導電性の接触部を有するコネクタを、電子装置又は電源への結合としての役割をなすよう前記相互接続装置に結合する段階と
を有する、方法。
【請求項１２】
電子装置を便利に作動させるよう人に可能にする方法であって、
着用可能な衣料品の第１及び第２の層に少なくとも１つのファブリック回路を添付する段階と、
少なくとも１つの導電性の接触部を有する相互接続装置を、前記着用可能な衣料品の前記第１の層に取り付ける段階と、
少なくとも１つの導電性の接触部を有する相互接続装置を、前記着用可能な衣料品の前記第２の層に取り付ける段階と、
前記人に前記着用可能な衣料品を着せる段階と、
前記コネクタを前記相互接続装置にはめ込むことによって前記着用可能な衣料品の２つの層を封入し、前記夫々の導電性の接触部が電気的に接触するようにさせる段階と、
を有する、方法。
【発明の詳細な説明】
【技術分野】
【０００１】
本発明は、電子装置又は電源から衣料品にうめ込まれたファブリック電気回路への接続を可能にするようにされた相互接続システムに係る。より具体的には、着用者に最も便利に身近な位置で衣料品に組み込まれた電気相互接続装置を有する電気相互接続システムに係る。
【背景技術】
【０００２】
衣類に使用する内蔵電気スイッチは、典型的には、従来技術で周知と考えられる標準的で「画一的な」電気構成部品を使用して衣類に縫いこまれるか、貼り付けられるか、又は取り付けられる。しかしながら、本発明者の知る限りでは、着用可能な電子アプリケーションにおける従来技術の装置は、ファッション性がある簡易で直観的な電気コネクタを確保する問題には取り組んでいない。
【発明の開示】
【発明が解決しようとする課題】
【０００３】
従って、本発明は、簡易で、直観的であり、信頼性が高く、また安価な実施で実現され得る衣料品の電気コネクタに係る。更に、本発明は、衣料品製造産業内で広く支持されるよう、衣料品産業で使用された製造技術に可能な限り近いコネクタの製造を促進する。
【課題を解決するための手段】
【０００４】
本発明は、電気相互接続システムを備えた着用可能な衣料品を開示する。かかる衣料品は、衣料品本体に取り付けられた少なくとも１つの導電性の外縁を有するボタン穴と、外部電子装置又は電源を結合するボタン穴の導電性部分に取外し可能に結合されたコネクタとを有する。本発明の電気相互接続システムは、従来のボタン穴機械を使用して容易に製造され得るボタン穴を組み入れる。ボタン穴は、衣料品素材に内蔵されたファブリック回路に電気的に結合される。
【０００５】
本発明の１つの面によれば、所望の形態及び機能の衣料品は、すぐに利用できるファブリック及び素材を使用する従来の方法で構成され得、電気相互接続システムは、人の手による容易な作動を可能にするボタン穴内に有利に位置付けられ得る。必要な接続ケーブル又はコードは、接続用の相互接続システムから、衣料品にはめ込まれた電子装置又は外部電源まで延長し得る。
【０００６】
本発明の他の面によれば、少なくとも１つの導電性外縁を有するボタンは、第１の衣料品の層に取り付けられ、衣料品素材に組み入れられた第１のファブリック回路に次々と電気的に結合される。ボタンは、第２の衣料品の層に組み入れられた第２のファブリック回路に取り付けられた少なくとも１つの導電性外縁を有するボタン穴に、開放可能なように結合され、夫々の層の第１及び第２のファブリック回路は電気的に共に結合され得るようにされる。
【発明を実施するための最良の形態】
【０００７】
以下の説明には、本発明の完全な理解を与えるよう、制限よりむしろ説明の目的で、特別な構造、インターフェース、技術等の特定の詳細が記載される。高い簡易性及び明確性のために、周知の装置、回路、及び方法の詳細な説明は省略され、本発明の説明を不要な詳細で曖昧にしないようにされる。
【０００８】
図面のうち図１を参照すると、本発明に従った着用可能な衣料品２は、電気相互接続システム１２及びコネクタ１６を有する。コネクタ１６は、相互接続装置１２から延長しているケーブルを有し、該ケーブルは、電源、又は他の外部電子装置に結合される。図１中図示された実施例では、着用可能な衣料品２は、従来の袖なしのシャツの形態を有するが、シャツは、あるいは、長袖、半袖、ベスト、又はジャケット等のいずれかであってよいことは容易に理解される。加えて、衣料品２の素材は天然又は合成のいずれかであり得、かかる素材から作られたファブリックは、周知の方法で、織られるか、シート状であるかのいずれかであり得る。
【０００９】
図２を参照すると、衣料品２の一側は、電気相互接続システム１２を与えられ、１つ又はそれ以上の導電性の部分１１ａを両端に有する外輪１１によって定義付けられた開口１０を有する。ファブリックに開口１０を与えることは、当業者には周知であり、かかるアタッチメントの種類は詳細にわたる。外輪１１は、ファブリック回路４の導電性のトラックに電気的に結合され、相互接続システム１２の補助となると考えられる機器を受容又は別の方法ではめ込むよう環の形状で与えられ得る。あるいは、かかる補助的な機器又は他の電子装置は、衣料品２に組み入れられ、周知の方法で所望の信号又は電力を送信するよう相互システム１２と協働して使用され得る。
【００１０】
図３を参照すると、コネクタ１６は、上述された通り電源又は外部電子機器の接続を許可し、信号又は電力を送信するよう、外輪１１の導電性部分１１ａに電気的に結合され得る１つ又はそれ以上の導電性面を有するボタン・コネクタ４０を有する。図示する通り、ボタン・コネクタ４０は、夫々の導電性部分を物理的及び電気的に互いに対して開放可能なように相互接続するよう適合された形状を有する。従って、着用者は、ボタン・コネクタ４０を衣料品の適切な開口に片手で取り付けるだけで、補助的な装置を容易にはめ込むことができる。本発明のかかる実施例では、ボタン・コネクタ４０から延長する接続ケーブル１６はいずれも、補助的な装置に容易に結合され得ることは、当業者によって容易に理解されるであろう。補助的な装置とは、携帯電話、ラジオ、ポケットベル、ＧＰＳ装置、個人用携帯端末、あるいは、他の信号送信機又はデュプレックス対話型システムであり、バンドの着用者の人間でどこにでも運ばれる。
【００１１】
図４は、本発明の他の実施例に従った電気相互接続システム１２を図示する。衣料品２の一側は、ボタン構成要素２０を備え、１つ又はそれ以上の導電性部分２０ａを有する。ボタン構成部品２０の導電性部分２０ａは、ファブリック回路４の導電性トラックに電気的に結合される。周知の縫製及び／又は他のファブリック・アタッチメント技術を使用して、一般的な衣料品の素材によって形成された衣料品２の適切な位置でのボタン構成部品２０は、容易に達成され得ることが留意されるべきである。かかる衣料品の素材は天然又は合成のいずれかであり得、かかる素材から作られたファブリックは、周知の方法で、織られるか、又はシート状であるかのいずれかであり得る。
【００１２】
図５を参照すると、ボタン構成部品２０は、着用者によって開放可能なロッキング作用によって、外輪１１ａに合わせられ得る。かかる実施例では、着用者は、衣料品２の第１の層のボタン・コネクタ２０を、衣料品２の第２の層の外輪１２に留めるだけで、容易に相互接続システム１２をはめ込むことができる。合わせられた２つの層は、追加的な保護を与えるよう、相互接続システム１２を形成する部分で耐水性又は防水性にされ得る。
【００１３】
ボタン・コネクタ２０に結合されたファブリック回路４の導電性トラックは、相互接続システム１２の補助となると考えられる機器を受容又は別の方法ではめ込むよう環の形状で与えられ得ることが、留意されるべきである。該機器は、心臓モニタリング装置、除細動器、及び他の電子機器であり、衣料品２に組み入れられ、周知の方法で所望の信号又は電力を送信するよう、相互接続システム１２と協働して使われる。
【００１４】
本発明の望ましい実施例が図示及び説明されてきたが、多種の変更及び修正がなされ得ること、及び本発明の真の範囲を逸脱することなく、構成要素の代わりに同等のものを用い得ることは、当業者によって理解されるであろう。例えば、楕円形の相互接続システムが例示的な目的で図示されるが、本発明は他の形状も支持し得ることが理解されるべきである。故に、図中の相互接続システムの形状は、本発明の範囲に制限を課すべきではない。それゆえに、本発明は、本発明の実行を考慮した最良の形態として開示された特定の実施例に制限されるべきではないが、本発明は、添付の請求項の範囲内にある全ての実施例を有するとされる。
【図面の簡単な説明】
【００１５】
【図１】本発明に従った電気相互接続システムの一実施例を図示する。
【図２】本発明の第１の実施例に従った図１の電気相互接続システムを図示する。
【図３】本発明の第１の実施例に従った図１の電気相互接続システムの詳細な構成及びコネクタを図示する。
【図４】本発明の第２の実施例に従った図１の電気相互接続システムを図示する。
【図５】本発明の第２の実施例に従った図１の電気相互接続システムの詳細な構成及びコネクタを図示する。
【図１】
2006529007.tif 000003
【図２】
2006529007.tif 000004
【図３】
2006529007.tif 000005
【図４】
2006529007.tif 000006
【図５】
2006529007.tif 000007
【国際調査報告】
2006529007.tif 000008
2006529007.tif 000009
2006529007.tif 000010